(57)【特許請求の範囲】
【請求項１】
パネルに形成されているパネル孔に取り付けられ、一方向に延びる断面円状の貫通孔が形成されており、前記パネル孔を貫通する基部と、前記パネルに重ねられている板状の接触部材に形成された他の孔に挿入される胴部とを有する雌部材と、
前記貫通孔に挿入される円柱状の脚部と、前記脚部の端部に形成される頭部とを有する雄部材と、
前記雄部材を前記一方向に移動させて前記脚部を前記貫通孔に挿入することで前記雄部材を前記雌部材に係合させ、前記雄部材が前記雌部材に係合した状態で、前記雄部材を前記脚部の軸周りに回転させることで係合を解除させる係合手段と、
前記雄部材が前記雌部材に係合した状態で、前記雄部材を前記脚部の軸周りに回転させると、前記一方向において前記頭部を前記パネルから離間する方向に移動させる離間手段と、を備え、
前記離間手段は、
前記雌部材に形成され、前記脚部の周方向に対して傾斜する傾き面を有するカム部と、
前記雄部材に形成され、前記係合手段によって前記雄部材が前記雌部材に係合した状態で、前記雄部材を前記脚部の軸周りに回転させると、前記傾き面と当たって前記カム部に乗り上げる乗上部と、を有し、
前記係合手段によって前記雄部材と前記雌部材とが係合した状態で、前記雄部材の前記頭部は、前記接触部材に接触しており、前記カム部の前記傾き面は、前記接触部材の表面から突出しており、前記乗上部は、前記接触部材の板厚方向で、前記接触部材に対して離間しているパネル孔への取付体。
【請求項２】
パネルに形成されているパネル孔に取り付けられ、一方向に延びる断面円状の貫通孔が形成されている雌部材と、
前記貫通孔に挿入される円柱状の脚部と、前記脚部の端部に形成される頭部とを有する雄部材と、
前記雄部材を前記一方向に移動させて前記脚部を前記貫通孔に挿入することで前記雄部材を前記雌部材に係合させ、前記雄部材が前記雌部材に係合した状態で、前記雄部材を前記脚部の軸周りに回転させることで係合を解除させる係合手段と、
前記雄部材が前記雌部材に係合した状態で、前記雄部材を前記脚部の軸周りに回転させると、前記一方向において前記頭部を前記パネルから離間する方向に移動させる離間手段と、を備え、
前記離間手段は、前記雄部材の裏面から突出する乗上部と、前記雌部材に形成され、前記乗上部が突出する方向とは交差する方向に延びる片持ち状態とされており、前記雄部材の回動により前記乗上部が乗り上げるカム部とを有するパネル孔への取付体。
【請求項３】
前記係合手段は、
前記脚部及び前記貫通孔の何れか一方に形成された係止枠と、
前記脚部及び前記貫通孔の何れか他方に形成され、前記係止枠と係合すると共に、前記脚部の周方向に対して傾斜する傾斜面を有し、弾性変形可能な係合爪と、
を備える請求項１又は２に記載のパネル孔への取付体。
【請求項４】
前記カム部は、前記脚部の周方向に対して傾斜する傾き面を有し、
前記雄部材の回動により、前記乗上部は、前記傾き面と当たってカム部に乗り上げる請求項２又は３に記載のパネル孔への取付体。
【請求項５】
前記雄部材が前記雌部材に係合した状態で、前記一方向から見て、前記乗上部を挟むように一対の前記カム部が配置されている請求項１〜４の何れか１項に記載されたパネル孔への取付体。
【請求項６】
前記雄部材が前記雌部材に係合した状態で、前記一方向から見て、前記雄部材が前記雌部材を覆っている請求項１〜５の何れか１項に記載のパネル孔への取付体。
【発明の詳細な説明】
【技術分野】
【０００１】
本発明は、パネル孔への取付体に関する。
【背景技術】
【０００２】
特許文献１に記載のパネル孔への取付体は、パネルに形成されたパネル孔に取り付けられる雌部材と、雌部材に形成された貫通孔に挿入される円柱状の脚部、及び脚部の端部に形成された頭部を有する雄部材と、を備えている。
【０００３】
そして、パネル孔に取り付けられた雌部材から雄部材を取り外す際には、雄部材を脚部の軸周りに回転させるようになっている。
【先行技術文献】
【特許文献】
【０００４】
【特許文献１】特開２００６−９０４３９号公報
【発明の概要】
【発明が解決しようとする課題】
【０００５】
従来のパネル孔への取付体を、車両のサンバイザホルダとして用いる場合がある。このように用いる場合には、雄部材が雌部材に取り付けられている状態では、パネルに重ねられている成形天井の外表面と、雄部材の頭部とが接触している。
【０００６】
そして、パネル孔に取り付けられた雌部材から雄部材を取り外す際に雄部材を回転させることで、雄部材の頭部と成形天井（接触部材）の外表面とが擦れて成形天井の外表面が損傷してしまうことが考えられる。
【０００７】
本発明の課題は、雄部材を回転させながら雌部材から取り外す際に、雄部材の頭部と接触する接触部材が損傷してしまうのを抑制することである。
【課題を解決するための手段】
【０００８】
本発明の請求項１に係るパネル孔への取付体は、パネルに形成されているパネル孔に取り付けられ、一方向に延びる断面円状の貫通孔が形成されており、前記パネル孔を貫通する基部と、前記パネルに重ねられている板状の接触部材に形成された他の孔に挿入される胴部とを有する雌部材と、前記貫通孔に挿入される円柱状の脚部と、前記脚部の端部に形成される頭部とを有する雄部材と、前記雄部材を前記一方向に移動させて前記脚部を前記貫通孔に挿入することで前記雄部材を前記雌部材に係合させ、前記雄部材が前記雌部材に係合した状態で、前記雄部材を前記脚部の軸周りに回転させることで係合を解除させる係合手段と、前記雄部材が前記雌部材に係合した状態で、前記雄部材を前記脚部の軸周りに回転させると、前記一方向において前記頭部を前記パネルから離間する方向に移動させる離間手段と、を備え、前記離間手段は、前記雌部材に形成され、前記脚部の周方向に対して傾斜する傾き面を有するカム部と、前記雄部材に形成され、前記係合手段によって前記雄部材が前記雌部材に係合した状態で、前記雄部材を前記脚部の軸周りに回転させると、前記傾き面と当たって前記カム部に乗り上げる乗上部と、を有し、前記係合手段によって前記雄部材と前記雌部材とが係合した状態で、前記雄部材の前記頭部は、前記接触部材に接触しており、前記カム部の前記傾き面は、前記接触部材の表面から突出しており、前記乗上部は、前記接触部材の板厚方向で、前記接触部材に対して離間していることを特徴とする。
本発明の請求項２に係るパネル孔への取付体は、パネルに形成されているパネル孔に取り付けられ、一方向に延びる断面円状の貫通孔が形成されている雌部材と、前記貫通孔に挿入される円柱状の脚部と、前記脚部の端部に形成される頭部とを有する雄部材と、前記雄部材を前記一方向に移動させて前記脚部を前記貫通孔に挿入することで前記雄部材を前記雌部材に係合させ、前記雄部材が前記雌部材に係合した状態で、前記雄部材を前記脚部の軸周りに回転させることで係合を解除させる係合手段と、前記雄部材が前記雌部材に係合した状態で、前記雄部材を前記脚部の軸周りに回転させると、前記一方向において前記頭部を前記パネルから離間する方向に移動させる離間手段と、を備え、前記離間手段は、前記雄部材の裏面から突出する乗上部と、前記雌部材に形成され、前記乗上部が突出する方向とは交差する方向に延びる片持ち状態とされており、前記雄部材の回動により前記乗上部が乗り上げるカム部とを有することを特徴とする。
【０００９】
上記構成によれば、係合手段は、雄部材を一方向に移動させて脚部を貫通孔に挿入させることで雄部材を雌部材に係合させる。一方、係合手段は、雄部材が雌部材に係合した状態で、雄部材を脚部の軸周りに回転させることで雄部材と雌部材との係合を解除させる。
【００１０】
ここで、離間手段は、雄部材が雌部材に係合した状態で、雄部材を脚部の軸周りに回転させると、一方向において頭部をパネルから離間する方向に移動させる。例えば、雄部材が雌部材に係合した状態で頭部と接触する接触部材が存在する場合に、雄部材を脚部の軸周りに回転させることで生じる頭部と接触部材との擦れが抑制される。
【００１１】
これにより、雄部材を回転させながら雌部材から取り外す際に、雄部材の頭部と接触する接触部材が損傷してしまうのを抑制することができる。
【００１３】
さらに、前記雄部材の回動により前記雄部材の裏面から突出する乗上部が前記雌部材に形成されたカム部の上端面に乗り上げることで、前記一方向において前記頭部が前記パネルから離間する。これにより、雄部材を回転させながら雌部材から取り外す際に、雄部材の頭部と接触する接触部材が損傷してしまうのを抑制することができる。
【００１４】
本発明の請求項３に係るパネル孔への取付体は、請求項１又は２に記載のパネル孔への取付体において、前記係合手段は、前記脚部及び前記貫通孔の何れか一方に形成された係止枠と、前記脚部及び前記貫通孔の何れか他方に形成され、前記係止枠と係合すると共に、前記脚部の周方向に対して傾斜する傾斜面を有し、弾性変形可能な係合爪と、を備える。
【００１５】
上記構成によれば、雄部材が雌部材に係合した状態で、雄部材を脚部の軸周りに回転させようとすると、係止爪の傾斜面が係止枠の縁部に押圧されて係止爪が弾性変形する。係止爪が弾性変形することで、雄部材と雌部材との係合が解除され、雄部材が脚部の軸周りに回転する。
【００１６】
このように、係止爪の傾斜面が係止枠の縁部に押圧されて係止爪が弾性変形することで、雄部材と雌部材との係合を解除することができる。
【００１７】
本発明の請求項４に係るパネル孔への取付体は、請求項２又は３に記載のパネル孔への取付体において、前記カム部は、前記脚部の周方向に対して傾斜する傾き面を有し、前記雄部材の回動により、前記乗上部は、前記傾き面と当たってカム部に乗り上げることを特徴とする。
【００１８】
上記構成によれば、雄部材が雌部材に係合した状態で、雄部材を脚部の軸周りに回転させようとすると、乗上部がカム部の傾斜面に当たって、乗上部がカム部に乗り上げる。これにより、頭部がパネルから離間する方向に移動する。
【００１９】
このように、乗上部がカム部に乗り上げことで、雄部材の頭部をパネルから離間する方向に移動させることができる。
【００２０】
本発明の請求項５に係るパネル孔への取付体は、請求項１〜４の何れか１項に記載のパネル孔への取付体において、前記雄部材が前記雌部材に係合した状態で、前記一方向から見て、前記乗上部を挟むように一対の前記カム部が配置されている。
【００２１】
上記構成によれば、一方向から見て、乗上部を挟むように一対のカム部が配置されているため、雄部材を脚部の軸周りの一方側に回転させも、他方側に回転させても頭部をパネルから離間する方向に移動させることができる。
【００２２】
本発明の請求項６に係るパネル孔への取付体は、請求項１〜５の何れか１項に記載のパネル孔への取付体において、前記雄部材が前記雌部材に係合した状態で、前記一方向から見て、前記雄部材が前記雌部材を覆っている。
【００２３】
上記構成によれば、一方向から見て、雄部材が雌部材を覆っているため、雌部材のユーザからの視認が抑制される。これより、雌部材の成形に用いる樹脂材料の色を自由に選択することができる。
【発明の効果】
【００２４】
本発明によれば、雄部材を回転させながら雌部材から取り外す際に、雄部材の頭部と接触する接触部材が損傷してしまうのを抑制することができる。
【図面の簡単な説明】
【００２５】
【図１】（Ａ）（Ｂ）本発明の実施形態に係るパネル孔への取付体の背面図である。
【図２】（Ａ）（Ｂ）本発明の実施形態に係るパネル孔への取付体へ用いられているグロメット部材の平面図、及び断面図である。
【図３】本発明の実施形態に係るパネル孔への取付体へ用いられている保持部材の平面図である。
【図４】本発明の実施形態に係るパネル孔への取付体の側面図である。
【図５】（Ａ）（Ｂ）本発明の実施形態に係るパネル孔への取付体の斜視図である。
【図６】（Ａ）（Ｂ）本発明の実施形態に係るパネル孔への取付体の斜視図である。
【図７】本発明の実施形態に係るパネル孔への取付体の分解斜視図である。
【図８】本発明の実施形態に係るパネル孔への取付体の分解斜視図である。
【図９】本発明の実施形態に係るパネル孔への取付体が用いられている車室内の斜視図である。
【発明を実施するための形態】
【００２６】
本発明の実施形態に係るパネル孔への取付体の一例としてのサンバイザホルダ１０について図１〜図９に従って説明する。なお、図中に示す矢印Ｈは部品上下方向（鉛直方向）を示し、矢印Ｗは部品幅方向（水平方向）を示し、矢印Ｌは部品前後方向（水平方向）を示す。
【００２７】
（全体構成）
サンバイザホルダ１０（以下単に「ホルダ１０」と記載する）は、図９に示されるように、車両室内２００において、サンバイザ２０２の軸２０４を所定の位置に保持するために使用される部材である。
【００２８】
ホルダ１０は、図４、図８に示されるように、軸２０４を保持する保持部材１４（雄部材の一例）と、保持部材１４が取り付けられるグロメット部材１６（雌部材の一例）とを備えている。
【００２９】
また、車両室内２００の上方側には、成形天井２１６（接触部材の一例）が配置され、さらに、成形天井２１６の裏面を支持するように、パネルの一例としてのルーフインナパネル２１０（以下単に「ルーフパネル２１０」と記載する）が成形天井２１６の裏面側に配置されている。
【００３０】
ルーフパネル２１０には、グロメット部材１６が取り付けられる矩形状の貫通孔２１０Ａが形成され、成形天井２１６には、グロメット部材１６の後述する胴部６０が挿入される貫通孔２１６Ａが形成されている。
【００３１】
〔保持部材〕
保持部材１４は、樹脂材料で一体的に形成され、図８に示されるように、サンバイザ２０２の軸２０４を着脱可能に保持するように湾曲したホルダ部１８（頭部の一例）と、ホルダ部１８から上方側へ突出する円筒状（円柱状）の脚部２０とを有している。
【００３２】
［ホルダ部］
ホルダ部１８の内部は空洞化され、ホルダ部１８の内部には、ホルダ部１８の意匠壁を補強するための補強用のリブ２４が、部品幅方向に延びて形成されている（図３参照）。
【００３３】
そして、このリブ２４が、グロメット部材１６の後述する本体部６２と当たり、グロメット部材１６に対する部品上下方向の保持部材１４の位置が決まるようになっている。
【００３４】
また、ホルダ部１８の内部には、図３に示されるように、部品上下方向から見て、脚部２０を部品前後方向から挟むように、一対のリブ３０（乗上部の一例）が形成されている。夫々のリブ３０の板面は、部品前後方向を向き、夫々のリブ３０の部品幅方向の寸法（図中Ｌ１）は、脚部２０の径寸法（図中Ｄ１）より短くされている。
【００３５】
さらに、夫々のリブ３０の先端部分は、図４に示されるように、ホルダ部１８の内部から外部に突出しないようになっている。
【００３６】
［脚部］
脚部２０は、図８に示されるように、リブ２４の部品幅方向の中央部分から上方側に突出している。そして、脚部２０において部品上下方向の中央側の部分には、片持ち状態で支持されている係止爪２２が、部品幅方向の両側に突出するように２個形成されている。
【００３７】
具体的には、夫々の係止爪２２は、係止爪２２のホルダ部１８側（図８の下方側）が、自由端となるように脚部２０の本体部２０Ａに支持されている。これにより、夫々の係止爪２２は、部品幅方向に弾性変形するようになっている。さらに、係止爪２２は、四角錐形状とされ、脚部２０の周方向に対して傾斜する傾斜面２２Ａを有している（図３参照）。
【００３８】
また、脚部２０において係止爪２２に対して部品上下方向の上方側の部分には、片持ち状態で支持されている係止爪２８が、脚部２０から部品幅方向の両側に突出するように２個形成されている。
【００３９】
具体的には、夫々の係止爪２８は、係止爪２２に比して小さくされ、係止爪２８のホルダ部１８側（図８の下方側）が、自由端となるように脚部２０の本体部２０Ａに支持されている。これにより、夫々の係止爪２８は、部品幅方向に弾性変形するようになっている。さらに、係止爪２８は、四角錐形状とされ、脚部２０の周方向に対して傾斜する傾斜面２８Ａを有している（図３参照）。
【００４０】
〔グロメット部材〕
グロメット部材１６は、樹脂材料で一体的に形成され、図７、図８に示されるように、ルーフパネル２１０の貫通孔２１０Ａを貫通する基部４０と、基部４０の下方側の部分に形成され、成形天井２１６の貫通孔２１６Ａに挿入される胴部６０とを有している。
【００４１】
［基部］
基部４０は、部品上下方向から見て矩形状とされ、図２（Ａ）に示されるように、基部４０の中央側には、脚部２０（図８参照）が挿入されると共に、部品上下方向（一方向）に延びる断面円状の円孔４２（貫通孔の一例）が形成されている。具体的には、保持部材１４を部品上下方向の上方側に移動させることで、脚部２０が円孔４２に挿入されるようになっている。また、基部４０の部品幅方向を向いた一対の側壁４０Ａには、図８に示されるように、円孔４２の内部を外部に開放する矩形状の係止孔４４（係止枠の一例）が夫々形成されている（図８では一方の係止孔４４のみを示す）。そして、夫々の係止孔４４は、部品上下方向に延びている。
【００４２】
さらに、基部４０の一対の側壁４０Ａにおいて係止孔４４に対して上方側の部分には、上方側が開放されたＵ字状の溝部４８（係止枠の一例）が夫々形成されている（図８では一方の係止孔４４のみを示す）。
【００４３】
この構成において、保持部材１４の脚部２０が円孔４２に挿入されると、図４に示されるように、係止爪２２が係止孔４４の縁部に係合し、係止爪２８が溝部４８の縁部に係合して、保持部材１４がグロメット部材１６に取り付けられるようになっている。換言すると、保持部材１４がグロメット部材１６に係合するようになっている。
【００４４】
一方、基部４０の部品前後方向を向いた一対の側壁４０Ｂには、図８に示されるように、ルーフパネル２１０の貫通孔２１０Ａの縁部に係合される係止爪５０が、部品前後方向に突出するように夫々形成されている（図８では一方の係止爪５０のみを示す）。
【００４５】
具体的には、夫々の係止爪５０は、部品幅方向から見て三角形状とされている。そして、夫々の係止爪５０は、片持ち状態で支持され、胴部６０側（図８の下方側）が、自由端となるように側壁４０Ｂに支持されている。これにより、夫々の係止爪５０は、部品前後方向に弾性変形するようになっている。
【００４６】
この構成において、グロメット部材１６の基部４０をルーフパネル２１０の貫通孔２１０Ａに貫通させると、図４、図７に示されるように、夫々の係止爪５０は、貫通孔２１０Ａの縁部に係合されるようになっている。そして、グロメット部材１６がルーフパネル２１０に取り付けられるようになっている。
【００４７】
［胴部］
胴部６０は、図８に示されるように、成形天井２１６の貫通孔２１６Ａに挿入される本体部６２と、成形天井２１６から外部に露出して部品前後方向に延びる延設部６６（カム部の一例）と、を有している。
【００４８】
本体部６２は、部品幅方向に一部が離間しており、部品上下方向から見て、本体部６２の外形形状は、基部４０の外形形状に比して一回り大きくされた矩形状とされている（図２参照）。
【００４９】
延設部６６は、本体部６２の下方側の部分から部品前後方向に突出して、４個形成されている。
【００５０】
具体的には、図２（Ａ）に示されるように、本体部６２の部品前後方向の後方側（図中上側）の部分から突出すると共に、部品幅方向で離間している一対の延設部６６Ａが形成されている。同様に、本体部６２の部品前後方向の前方側（図中下側）の部分から突出すると共に、部品幅方向で離間している一対の延設部６６Ｂが形成されている。
【００５１】
一方、図２（Ｂ）には、図２（Ａ）のＫ-Ｋ線断面が示されている。図２（Ｂ）に示されるように、グロメット部材１６に保持部材１４が取り付けられた状態で、一対の延設部６６Ａの間には、リブ３０の先端側（上端側）の部分が配置されている。同様に、一対の延設部６６Ｂの間にも、リブ３０の先端側の部分が配置されている。換言すれば、部品上下方向（一方向）から見て、夫々のリブ３０を挟むように一対の延設部６６Ａ、及び一対の延設部６６Ｂが配置されている。
【００５２】
そして、延設部６６Ａ、６６Ｂの下方側で、かつ、リブ３０側の部分には、脚部２０の周方向（図２に示す矢印Ｆ方向）に対して傾斜する傾き面６８が形成されている。
【００５３】
さらに、グロメット部材１６に保持部材１４が取り付けられた状態で、保持部材１４のホルダ部１８において成形天井２１６側を向く縁部１８Ａは、図４に示されるように、成形天井２１６の外表面と接触している。
【００５４】
また、グロメット部材１６に保持部材１４が取り付けられた状態で、部品上下方向（一方向）から見て、ホルダ部１８の縁部１８Ａが、図２（Ａ）に示されるように、グロメット部材１６を覆っている。換言すれば、部品上下方向から見て、保持部材１４が、グロメット部材１６を覆っている。
【００５５】
（作用・効果）
次に、ホルダ１０の作用について、ホルダ１０をルーフパネル２１０に取り付ける取付作業と、ホルダ１０の保持部材１４をグロメット部材１６から取り外す取外作業と、によって説明する。
【００５６】
〔取付作業〕
ホルダ１０をルーフパネル２１０に取り付ける場合には、図７、図８に示されるように、ルーフパネル２１０の下方側に成形天井２１６に重ねられ、図示は省略するが、下方側から見て、成形天井２１６の貫通孔２１６Ａの中にルーフパネル２１０の貫通孔２１０Ａが配置されている。
【００５７】
この状態で、作業者（図示省略）は、ルーフパネル２１０の下方側から、グロメット部材１６の基部４０を貫通孔２１０Ａに挿入して貫通させる。これにより、グロメット部材１６がルーフパネル２１０に取り付けられる。
【００５８】
詳細には、基部４０を貫通孔２１０Ａに挿入する際に、一対の係止爪５０が、貫通孔２１０Ａの縁部と当たり、一対の係止爪５０は、互いに自由端部が近接するように弾性変形する。そして、基部４０が貫通孔２１０Ａを貫通すると、一対の係止爪５０が弾性復帰して、貫通孔２１０Ａの縁部に係合される。これにより、グロメット部材１６がルーフパネル２１０に取り付けられる。
【００５９】
この状態で、図７に示されるように、グロメット部材１６の本体部６２は、成形天井２１６の貫通孔２１６Ａに挿入され、グロメット部材１６の延設部６６は、成形天井２１６から外部に露出している。
【００６０】
さらに、作業者は、図６（Ａ）、図７に示されるように、グロメット部材１６の下方側から保持部材１４を部品上下方向に移動させ、脚部２０を円孔４２に挿入する。これにより、保持部材１４がグロメット部材１６に取り付けられる。
【００６１】
詳細には、脚部２０を円孔４２に挿入する際に、一対の係止爪２８が、円孔４２の内周壁に押圧され、一対の係止爪２８は、互いに自由端部が近接するように弾性変形する。そして、一対の係止爪２８が、グロメット部材１６の溝部４８に到達すると、一対の係止爪２８が弾性復帰して、溝部４８の縁部に係合される。
【００６２】
同様に、脚部２０を円孔４２に挿入する際に、一対の係止爪２２が、円孔４２の内周壁に押圧され、一対の係止爪２２は、互いに自由端部が近接するように弾性変形する。そして、一対の係止爪２２が、グロメット部材１６の係止孔４４に到達すると、一対の係止爪２２が弾性復帰して、一対の係止爪２２が係止孔４４の縁部に係合される。これにより、保持部材１４がグロメット部材１６に取り付けられる（係合される）。
【００６３】
保持部材１４がグロメット部材１６に取り付けられた状態で、図２（Ａ）（Ｂ）に示されるように、部品上下方向から見て、一対の延設部６６Ａの間、及び一対の延設部６６Ｂの間には、夫々のリブ３０の先端側の部分が配置されている。
【００６４】
また、保持部材１４がグロメット部材１６に取り付けられた状態で、ホルダ部１８の縁部１８Ａは、図４に示されるように、成形天井２１６の外表面と接触している。
【００６５】
〔取外作業〕
ホルダ１０の保持部材１４をグロメット部材１６から取り外す場合には、作業者は、図１（Ａ）（Ｂ）、図５（Ａ）（Ｂ）に示されるように、保持部材１４を脚部２０の軸周りに回転させる。
【００６６】
保持部材１４を回転させようとすると、一対の係止爪２８の傾斜面２８Ａ（図３参照）が、溝部４８の縁部に押圧され、一対の係止爪２８は、互いに自由端部が近接するように弾性変形する。これにより、係止爪２８と溝部４８との係合が解除される。そして、一対の係止爪２８が円孔４２の内周壁に当たった状態で保持部材１４が回転する。
【００６７】
同様に、保持部材１４を回転させると、一対の係止爪２２の傾斜面２２Ａ（図３参照）が、係止孔４４の縁部に押圧され、一対の係止爪２２は、互いに自由端部が近接するように弾性変形する。これにより、係止爪２２と係止孔４４との係合が解除される。そして、一対の係止爪２２が円孔４２の内周壁に当たった状態で保持部材１４が回転する。
【００６８】
また、保持部材１４を回転させると、図１（Ｂ）、図２（Ｂ）に示されるように、保持部材１４のリブ３０の先端側の部分が、延設部６６の傾き面６８と当たり、リブ３０は、傾き面６８に当たりながら移動する。さらに、リブ３０が延設部６６に乗り上げる（図２（Ｂ）の二点鎖線参照）。そして、保持部材１４の回転は、図示せぬ制限手段により制限され、回転する保持部材１４は停止する。
【００６９】
回転する保持部材１４のリブ３０が、傾き面６８に当たりながら移動して延設部６６に乗り上げることで、ホルダ部１８（保持部材１４）は、回転しながらルーフパネル２１０から離間する方向に移動する。これにより、ホルダ部１８は、回転しながら成形天井２１６の外表面から離間する（図１（Ｂ）参照）。
【００７０】
このようにホルダ部１８が回転しながら成形天井２１６の外表面から離間することで、ホルダ部１８が成形天井２１６の外表面から離間しない場合と比して、保持部材１４をグロメット部材１６から取り外す際に、成形天井２１６の外表面が損傷してしまうのを抑制することができる。
【００７１】
また、係止爪２２には、脚部２０の周方向に対して傾斜する傾斜面２２Ａが形成され、係止爪２８には、脚部２０の周方向に対して傾斜する傾斜面２８Ａが形成されている。これにより、保持部材１４を脚部２０の軸周りに回転させようとすると、係止爪２２及び係止爪２８が弾性変形することで、夫々の係合が解除され、保持部材１４が回転することができる。
【００７２】
また、部品上下方向から見て、夫々のリブ３０を挟むように一対の延設部６６Ａ、及び一対の延設部６６Ｂが配置されている。これにより、保持部材１４を脚部２０の軸周りの一方側に回転させても、他方側に回転させてもホルダ部１８を成形天井２１６の外表面から離間させることができる。
【００７３】
また、部品上下方向から見て、保持部材１４が、グロメット部材１６を覆っているため、グロメット部材１６がユーザから視認されるのを抑制することができる。
【００７４】
また、グロメット部材１６のユーザからの視認が抑制されることで、グロメット部材１６の成形に用いる樹脂材料の色を自由に選択することができる。
【００７５】
なお、本発明を特定の実施形態について詳細に説明したが、本発明は係る実施形態に限定されるものではなく、本発明の範囲内にて他の種々の実施形態をとることが可能であることは当業者にとって明らかである。例えば、パネル孔への取付体をサンバイザ２０２の軸２０４を保持するホルダ１０を用いて説明したが、例えば、ルーフパネル２１０に取り付けられるハンガーホルダ等の他の部品に用いてもよい。
【００７６】
また、上記実施形態では、係止爪２２、２８を保持部材１４に形成させ、係止孔４４、溝部４８をグロメット部材１６に形成させたが、係止爪をグロメット部材に形成させ、係止孔、溝部を保持部材に形成させてもよい。
【００７７】
また、上記実施形態では、リブ３０を保持部材１４に形成させ、延設部６６をグロメット部材１６に形成させたが、リブをグロメット部材に形成させ、延設部を保持部材に形成させてもよい。
【００７８】
また、上記実施形態では、脚部２０を円筒状とたが、円筒状は、円柱状の下位概念であり、脚部２０は、円柱状でもある。
【００７９】
また、上記実施形態では、ホルダ部１８が回転しながら成形天井２１６の外表面から離間したが、特に離間しなくても良く、離間する方向に移動すればよい。離間する方向に移動することで、成形天井２１６の外表面が損傷するのが抑制される。
【符号の説明】
【００８０】
１０          ホルダ（パネル孔への取付体の一例）
１４          保持部材（雄部材の一例）
１６          グロメット部材（雌部材の一例）
１８          ホルダ部（頭部の一例）
２０          脚部
２２          係止爪
２２Ａ        傾斜面
２８          係止爪
２８Ａ        傾斜面
３０          リブ（乗上部の一例）
４２          円孔（貫通孔の一例）
４４          係止孔（係止枠の一例）
４８          溝部（係止枠の一例）
６６          延設部（カム部の一例）
６８          傾き面
２１０        ルーフパネル（パネルの一例）
２１６        成形天井（接触部材）
【図１】
0006362999.tif 000002
【図２】
0006362999.tif 000003
【図３】
0006362999.tif 000004
【図４】
0006362999.tif 000005
【図５】
0006362999.tif 000006
【図６】
0006362999.tif 000007
【図７】
0006362999.tif 000008
【図８】
0006362999.tif 000009
【図９】
0006362999.tif 000010